(57)【要約】【課題】適用するレジスタでの作業性を向上させ、かつ棒状硬貨の管理をより確実に行うこと。【解決手段】上面が開口した箱状を成し、装置本体１０の前面から手前側に向けて引き出し可能に配設した収納箱２０を備え、複数枚の硬貨を積層して包装した棒状硬貨ＢＣを収納箱２０の内部に収納する硬貨収納装置１において、装置本体１０と収納箱２０との間に、収納箱２０を全閉状態から全開状態に引き出す際に中途位置で一旦停止させる停止機構３０を設けた。【選択図】図４
2010204757.tif 000002
【特許請求の範囲】
【請求項１】
装置本体の前面から手前側に向けて引き出し可能に配設し、上面が開口した箱状を成す収納箱を備え、複数枚の硬貨を積層して包装した棒状硬貨を前記収納箱の内部に収納する硬貨収納装置において、
前記装置本体と前記収納箱との間に、前記収納箱を全閉状態から全開状態に引き出す際に中途位置で一旦停止させる停止機構を設けたことを特徴とする硬貨収納装置。
【請求項２】
上面に棒状硬貨を個別に収納する硬貨収納凹部を有した硬貨収納トレイを前記収納箱の内部において奥方となる部位に配設し、
前記停止機構は、前記収納箱を全閉状態から前記中途位置に配置させた場合に前記硬貨収納トレイを前記装置筐体によって覆った状態に維持するものである
ことを特徴とする請求項１に記載の硬貨収納装置。
【請求項３】
前記収納箱の前壁には、前記収納箱の内部において前記硬貨収納トレイよりも手前側に位置する収納領域に対して有価媒体を受け入れるための媒体受入口を設けたことを特徴とする請求項２に記載の硬貨収納装置。
【請求項４】
装置本体の前面から手前側に向けて引き出し可能に配設し、上面が開口した箱状を成す収納箱を備え、複数枚の硬貨を積層して包装した棒状硬貨を前記収納箱の内部に収納する硬貨収納装置において、
前記収納箱は、互いに独立し、かつ前記装置本体に対して個別に引き出し可能に構成した第１の収納体及び第２の収納体を有し、前記第１の収納体は、その内部に、上面に棒状硬貨を個別に収納する硬貨収納凹部を有した硬貨収納トレイを備えたものであり、前記第２の収納体は、その内部の収納領域に対して有価媒体を受け入れるための媒体受入口を前壁に有したものである
ことを特徴とする硬貨収納装置。
【請求項５】
前記第１の収納体及び前記第２の収納体は、前記装置本体に対して互いに上下に並設したことを特徴とする請求項４に記載の硬貨収納装置。
【請求項６】
前記第１の収納体及び前記第２の収納体は、前記装置本体に対して互いに左右に並設したことを特徴とする請求項４に記載の硬貨収納装置。
【請求項７】
前記収納箱に永久磁石を配設し、前記収納領域に磁気吸引力が作用した磁気吸引領域を構成したことを特徴とする請求項１または請求項４に記載の硬貨収納装置。
【請求項８】
前記収納箱の前面、もしくは前記本体筐体の上面に、前記磁気吸引領域を外部に連通させる開口を形成したことを特徴とする請求項７に記載の硬貨収納装置。
【請求項９】
前記媒体受入口は、前記収納箱の前壁に対して着脱可能に配設した入口ブロックに形成したものであることを特徴とする請求項３または請求項４に記載の硬貨収納装置。
【請求項１０】
前記入口ブロックは、前記収納箱の前壁に対して左右方向に複数並設可能となる大きさを有したものであり、互いに異なる位置に配置可能、かつ受け入れる有価媒体に応じた固有形状の媒体受入口を有することを特徴とする請求項９に記載の硬貨収納装置。
【請求項１１】
前記収納箱の前壁に配設した入口ブロックの媒体受入口に対応する収納容器を備え、前記収納箱の収納領域に前記収納容器を着脱可能に配設したことを特徴とする請求項９に記載の硬貨収納装置。
【請求項１２】
前記収納容器は、前記収納箱の収納領域に対して左右方向に複数並設可能となる大きさを有したものであり、互いに異なる位置に配置可能、かつ受け入れる有価媒体に応じた内部形状を有することを特徴とする請求項１０に記載の硬貨収納装置。
【請求項１３】
前記複数の入口ブロックは、左右方向に沿った寸法が互いに同一であることを特徴とする請求項１０に記載の硬貨収納装置。
【請求項１４】
前記複数の収納容器は、左右方向に沿った寸法が互いに同一であることを特徴とする請求項１２に記載の硬貨収納装置。
【発明の詳細な説明】
【技術分野】
【０００１】
本発明は、予め設定した複数枚の硬貨を積層して包装した棒状硬貨を収納する硬貨収納装置に関するものである。
【背景技術】
【０００２】
昨今のスーパーマーケットやコンビニエンスストアでは、ＰＯＳ（Ｐｏｉｎｔ  Ｏｆ  Ｓａｌｅｓ）レジスタに釣銭機と称される貨幣処理装置が接続されているのが一般的である。貨幣処理装置は、例えば貨幣が投入された場合にこれを鑑別して収納する一方、ＰＯＳレジスタから出金指令が与えられた場合には該当する金額の貨幣を払い出すようにしたものである。
【０００３】
この種の貨幣処理装置には、硬貨収納装置が付設されている場合がある。硬貨収納装置は、予め設定した複数枚の硬貨を積層して包装した棒状硬貨を準備金として収納するものである。この硬貨収納装置に収納された棒状硬貨は、貨幣処理装置において不足した釣銭として随時用いることができる。また、貨幣収納装置においては、棒状硬貨の有無が検出されており、有り高が予め設定した金額となるように監視されている。従って、硬貨収納装置を適用した場合には、貨幣処理装置自体の大型化を招来することなく、釣銭切れによる貨幣処理装置の稼働時間低下、つまりはＰＯＳレジスタの稼働時間低下を防止することが可能となる。
【０００４】
ところで、ＰＯＳレジスタが配置された実際の現場においては、貨幣のみならず、貨幣の代わりとして買い物客からビール券等の各種商品券が手渡される場合がある。商品券は、貨幣と同様に商品と交換できる有価媒体ではあるものの、貨幣処理装置においてはこれを鑑別することができない。また、買い物客から手渡された貨幣が変形していたり、破損している場合には、貨幣処理装置においてこれらが異物と判断される恐れがある。このため、レジスタ担当者の作業性を考慮した場合、これら商品券、変形・破損貨幣については、別途収納しておくスペースがあることが好ましい。
【０００５】
このため従来では、硬貨収納装置の収納箱に商品券や紙幣、バラ硬貨を収納する収納スペースを確保し、上述した問題を解決するようにしたものも提供されている（例えば、特許文献１参照）。
【先行技術文献】
【特許文献】
【０００６】
【特許文献１】特開２００８−２９９５６８号公報
【発明の概要】
【発明が解決しようとする課題】
【０００７】
しかしながら、従来の硬貨収納装置では、収納箱を引き出した際に、有り高を監視する必要がある棒状硬貨と、監視が不要な商品券や紙幣、バラ硬貨とが同時に外部に露出されることになり、棒状硬貨を管理する上で、必ずしも好ましいものとはいえない。特に、棒状硬貨の取り扱い者を限定しようとする場合、収納箱を引き出した際に常に棒状硬貨が外部に晒される構成の硬貨収納装置は、その導入に抵抗があるのは否めない。
【０００８】
本発明は、上記実情に鑑みて、適用するレジスタでの作業性を向上させ、かつ棒状硬貨の管理をより確実に行うことのできる硬貨収納装置を提供することを目的とする。
【課題を解決するための手段】
【０００９】
上記目的を達成するため、本発明に係る硬貨収納装置は、装置本体の前面から手前側に向けて引き出し可能に配設し、上面が開口した箱状を成す収納箱を備え、複数枚の硬貨を積層して包装した棒状硬貨を前記収納箱の内部に収納する硬貨収納装置において、前記装置本体と前記収納箱との間に、前記収納箱を全閉状態から全開状態に引き出す際に中途位置で一旦停止させる停止機構を設けたことを特徴とする。
【００１０】
また、本発明に係る硬貨収納装置は、上述した請求項１において、上面に棒状硬貨を個別に収納する硬貨収納凹部を有した硬貨収納トレイを前記収納箱の内部において奥方となる部位に配設し、前記停止機構は、前記収納箱を全閉状態から前記中途位置に配置させた場合に前記硬貨収納トレイを前記装置筐体によって覆った状態に維持するものであることを特徴とする。
【００１１】
また、本発明に係る硬貨収納装置は、上述した請求項２において、前記収納箱の前壁には、前記収納箱の内部において前記硬貨収納トレイよりも手前側に位置する収納領域に対して有価媒体を受け入れるための媒体受入口を設けたことを特徴とする。
【００１２】
また、本発明に係る硬貨収納装置は、装置本体の前面から手前側に向けて引き出し可能に配設し、上面が開口した箱状を成す収納箱を備え、複数枚の硬貨を積層して包装した棒状硬貨を前記収納箱の内部に収納する硬貨収納装置において、前記収納箱は、互いに独立し、かつ前記装置本体に対して個別に引き出し可能に構成した第１の収納体及び第２の収納体を有し、前記第１の収納体は、その内部に、上面に棒状硬貨を個別に収納する硬貨収納凹部を有した硬貨収納トレイを備えたものであり、前記第２の収納体は、その内部の収納領域に対して有価媒体を受け入れるための媒体受入口を前壁に有したものであることを特徴とする。
【００１３】
また、本発明に係る硬貨収納装置は、上述した請求項４において、前記第１の収納体及び前記第２の収納体は、前記装置本体に対して互いに上下に並設したことを特徴とする。
【００１４】
また、本発明に係る硬貨収納装置は、上述した請求項４において、前記第１の収納体及び前記第２の収納体は、前記装置本体に対して互いに左右に並設したことを特徴とする。
【００１５】
また、本発明に係る硬貨収納装置は、上述した請求項１または請求項４において、前記収納箱に永久磁石を配設し、前記収納領域に磁気吸引力が作用した磁気吸引領域を構成したことを特徴とする。
【００１６】
また、本発明に係る硬貨収納装置は、上述した請求項７において、前記収納箱の前面、もしくは前記本体筐体の上面に、前記磁気吸引領域を外部に連通させる開口を形成したことを特徴とする。
【００１７】
また、本発明に係る硬貨収納装置は、上述した請求項３または請求項４において、前記媒体受入口は、前記収納箱の前壁に対して着脱可能に配設した入口ブロックに形成したものであることを特徴とする。
【００１８】
また、本発明に係る硬貨収納装置は、上述した請求項９において、前記入口ブロックは、前記収納箱の前壁に対して左右方向に複数並設可能となる大きさを有したものであり、互いに異なる位置に配置可能、かつ受け入れる有価媒体に応じた固有形状の媒体受入口を有することを特徴とする。
【００１９】
また、本発明に係る硬貨収納装置は、上述した請求項９において、前記収納箱の前壁に配設した入口ブロックの媒体受入口に対応する収納容器を備え、前記収納箱の収納領域に前記収納容器を着脱可能に配設したことを特徴とする。
【００２０】
また、本発明に係る硬貨収納装置は、上述した請求項１０において、前記収納容器は、前記収納箱の収納領域に対して左右方向に複数並設可能となる大きさを有したものであり、互いに異なる位置に配置可能、かつ受け入れる有価媒体に応じた内部形状を有することを特徴とする。
【００２１】
また、本発明に係る硬貨収納装置は、上述した請求項１０において、前記複数の入口ブロックは、左右方向に沿った寸法が互いに同一であることを特徴とする。
【００２２】
また、本発明に係る硬貨収納装置は、上述した請求項１２において、前記複数の収納容器は、左右方向に沿った寸法が互いに同一であることを特徴とする。
【発明の効果】
【００２３】
本発明によれば、停止機構の作用により、収納箱を全閉状態から全開状態に引き出す際に中途位置で一旦停止する。従って、収納箱の奥方側に棒状硬貨を収納させ、かつ手前側に商品券や紙幣、バラ硬貨、変形・破損貨幣を収納させれば、収納箱を停止位置からさらに引き出さない限り、棒状硬貨が外部に露出することがない。これにより、適用するレジスタでの作業性を向上させ、かつ棒状硬貨の管理をより確実に行うことができるようになる。
【００２４】
また、本発明によれば、収納箱を第１の収納体及び第２の収納体に分割し、第１の収納体に棒状硬貨を収納する一方、第２の収納体に商品券や紙幣、バラ硬貨、変形・破損貨幣等、その他の有価媒体を収納するように構成している。従って、棒状硬貨とその他の有価媒体とを個別に取り扱うことができ、適用するレジスタでの作業性を向上させ、かつ棒状硬貨の管理をより確実に行うことができるようになる。さらに、収納体それぞれの引き出し量が小さくなるため、奥行方向に十分なスペースがない場合にも設置して使用することが可能となる。
【図面の簡単な説明】
【００２５】
【図１】図１は、本発明の実施の形態１である硬貨収納装置において収納箱を全閉状態とした斜視図である。
【図２】図２は、図１の硬貨収納装置において収納箱が中途位置にある状態を示す斜視図である。
【図３】図３は、図１の硬貨収納装置において収納箱を全開状態とした斜視図である。
【図４】図４は、図１の硬貨収納装置に適用した停止機構の動作を示す概念図である。
【図５】図５は、図１の硬貨収納装置において収納箱の収納容器を取り外した状態を示す斜視図である。
【図６】図６は、図１の硬貨収納装置において入口ブロックを取り外した状態を示す斜視図である。
【図７】図７は、図１の硬貨収納装置において硬貨収納トレイの硬貨収納凹部を示す要部斜視図である。
【図８−１】図８−１は、図７において通常の棒状硬貨を収納する硬貨収納凹部の断面図である。
【図８−２】図８−２は、図７において通常の棒状硬貨及び長さの短い棒状硬貨を収納することのできる硬貨収納凹部の断面図である。
【図９−１】図９−１は、図８−１に示した硬貨収納凹部に通常の棒状硬貨を収納した状態を示す断面図である。
【図９−２】図９−２は、図８−２に示した硬貨収納凹部に通常の棒状硬貨を収納した状態を示す断面図である。
【図１０】図１０は、図８−２に示した硬貨収納凹部に長さの短い棒状硬貨を収納した状態を示す断面図である。
【図１１】図１１は、図１の硬貨収納装置において棒状硬貨の検出制御系を示すブロック図である。
【図１２】図１２は、本発明の実施の形態２である硬貨収納装置において収納箱を全閉状態とした斜視図である。
【図１３】図１３は、図１２に示した硬貨収納装置において第２の収納体を引き出した状態の斜視図である。
【図１４】図１４は、図１２に示した硬貨収納装置において第１の収納体を引き出した状態の斜視図である。
【図１５】図１５は、図１に示した硬貨収納装置の第１変形例及びその動作を示す概念図である。
【図１６】図１６は、本発明の実施の形態３である硬貨収納装置の外観斜視図である。
【図１７】図１７は、図１６に示した硬貨収納装置の内部を概念的に示す平面図である。
【発明を実施するための形態】
【００２６】
以下、添付図面を参照しながら本発明に係る硬貨収納装置の好適な実施の形態について詳細に説明する。
【００２７】
（実施の形態１）
図１〜図４は、本発明の実施の形態１である硬貨収納装置を示したものである。ここで例示する硬貨収納装置１は、図には明示していないが、ＰＯＳレジスタに接続された釣銭機に補充する棒状硬貨を準備金として収納するものである。棒状硬貨とは、図３に示すように、同一金種の硬貨を予め設定した枚数だけ積層して包装し、１つの取扱単位として構成したものである。本実施の形態１では、１円硬貨、５円硬貨、１０円硬貨、５０円硬貨、１００円硬貨、５００円硬貨をそれぞれ５０枚ずつ包装した棒状硬貨ＢＣと、５００円硬貨を２０枚包装した長さの短い棒状硬貨ＢＣ′とを収納対象とする硬貨収納装置１を例示している。
【００２８】
図１〜図４からも明らかなように、硬貨収納装置１は、装置本体１０と、装置本体１０の内部に配設した収納箱２０とを備えている。装置本体１０は、前面が開口した直方体状を成すものである。この装置本体１０には、その内部に左右一対の本体側ガイド部材１１ａ，１１ｂが配設してある。正面向かって左側に設けた本体側ガイド部材１１ａは、装置本体１０の側壁内面に取り付けてある。一方、正面向かって右側に設けた本体側ガイド部材１１ｂは、装置本体１０の側壁内面から間隔を確保した位置に取り付けてある。
【００２９】
収納箱２０は、装置本体１０に設けた一対の本体側ガイド部材１１ａ，１１ｂの間に挿入可能となる大きさに構成した箱体であり、上面全面が開口した直方体状を成している。この収納箱２０には、両側壁の外面にそれぞれ箱側ガイド部材２１（図においては一方のみを示す）が配設してある。箱側ガイド部材２１は、収納箱２０の外面から外方に向けて突出したものである。それぞれの箱側ガイド部材２１は、装置本体１０に設けた本体側ガイド部材１１ａ，１１ｂに摺動自在に当接することにより、収納箱２０を装置本体１０の前面に設けた開口から引き出し可能に支持している。
【００３０】
装置本体１０と収納箱２０との間には、停止機構３０が設けてある。停止機構３０は、装置本体１０に対する収納箱２０の移動を制限するものである。本実施の形態１では、装置本体１０に可動ストッパ片３１を設ける一方、収納箱２０に前後一対の係止片３２，３３を設けることによって停止機構３０を構成している。
【００３１】
可動ストッパ片３１は、図４に示すように、装置本体１０に設けたストッパ本体３４に軸３５を介して揺動可能に支持させてあり、収納箱２０の一方の側壁外面に対して近接離反移動することが可能である。可動ストッパ片３１の先端部は、収納箱２０に近接する方向に向けて略直角に屈曲して係合部３１ａを構成している。
【００３２】
ストッパ本体３４には、押圧バネ３６及び電磁ソレノイド３７が設けてある。押圧バネ３６は、ストッパ本体３４と可動ストッパ片３１との間に設けたもので、可動ストッパ片３１の係合部３１ａを常時装置本体１０の側壁外面に当接させるように押圧している。電磁ソレノイド３７は、励磁した場合に押圧バネ３６の押圧力に抗して可動ストッパ片３１を吸着し、係合部３１ａを装置本体１０の側壁外面から離隔させるものである。
【００３３】
収納箱２０に設けた一対の係止片３２，３３は、それぞれ側壁外面から外方に向けて突設したもので、前方に向けて漸次突出量が多くなるように傾斜し、かつ最も前方となる部位に係止面３２ａ，３３ａを構成している。収納箱２０の前側に設けた係止片３２は、図４の（ａ）に示すように、装置本体１０に対して収納箱２０を全閉状態に配置した場合、先端の係止面３２ａが可動ストッパ片３１の係合部３１ａに係合することにより、収納箱２０の前方への移動を阻止するように機能する。収納箱２０の後側に設けた係止片３３は、図４の（ｃ）に示すように、収納箱２０を装置本体１０から引き出した場合に収納箱２０の前半部分２０Ｆが装置本体１０から外部に露出し、かつ収納箱２０の後半部分２０Ｒが装置本体１０に覆われた位置において可動ストッパ片３１の係合部３１ａに係合し、収納箱２０の前方への移動を阻止するように機能する。
【００３４】
収納箱２０の内部には、図２及び図３に示すように、複数の収納容器４０及び複数の硬貨収納トレイ５０が配設してある。収納容器４０は、互いの同一の外形寸法を有したもので、収納箱２０の内部において手前側に位置する前半部分２０Ｆに左右に並べた状態で着脱可能に配置してある。本実施の形態１では、図２〜図４に示すように、収納箱２０の前半部分２０Ｆに左右方向に沿って４つ並設することができ、かつ収納箱２０の後側に設けた係止片３３が可動ストッパ片３１の係合部３１ａに係合した場合に外部に露出するように収納容器４０の寸法が設定してある。
【００３５】
正面向かって左側に配置した３つの収納容器４０は、個々の内部を前後に仕切る仕切壁４０ａを有するとともに、前後の収納空間をさらに左右二分割する仕切板４１が着脱可能に設けられたものである。仕切壁４０ａや仕切板４１によって内部が複数の収納空間に区画された収納容器４０（以下、収納容器を区別する場合に「小物収納容器４０Ｓ」という）は、例えばバラ硬貨や変形硬貨等、縦横寸法が比較的小さい有価媒体、あるいはクリップ、印鑑、収入印紙等のように縦横寸法が比較的小さい小型物品を収納するのに好適である。
【００３６】
これに対して正面向かって右側に配置した収納容器４０は、内部を一つの収納空間として用いるものである。内部を一つの収納空間として用いる収納容器（以下、収納容器を区別する場合に「大物収納容器４０Ｂ」という）は、例えばビール券やその他の商品券、あるいは紙幣等、縦横寸法が比較的大きな有価媒体、あるいは筆記用具やハサミ、ステープラ等のように縦横寸法が比較的大きな大型物品を収納するのに好適である。
【００３７】
尚、これら小物収納容器４０Ｓ及び大物収納容器４０Ｂには、それぞれ上面の開口を覆うための蓋体４２を着脱可能に配設することが可能である。この蓋体４２は、図には明示していないが、それぞれの収納容器４０に対して開口を覆うように配置した場合にも、後述する収納箱２０の前壁２２に設けた装着孔２２ａに対応する部位を常時開放するものである。
【００３８】
図６に示すように、収納箱２０の前壁２２において収納容器４０に対応する部位には、それぞれ入口ブロック６０Ａ，６０Ｂ，６０Ｃ，６０Ｄが配設してある。入口ブロック６０Ａ，６０Ｂ，６０Ｃ，６０Ｄは、互いに同一の外形寸法に形成したブロック状部材であり、前壁２２に設けた４つの矩形状を成す装着孔２２ａに対してそれぞれが着脱可能である。これらの入口ブロックのうちの３つ６０Ａ，６０Ｂ，６０Ｃには、互いに異なる形態の媒体受入口６１が形成してある。本実施の形態１では、バラ硬貨に対応したバラ硬貨投入口６１ａを有する入口ブロック６０Ａ、変形硬貨に対応した変形硬貨投入口６１ｂを有する入口ブロック６０Ｂ、商品券や紙幣に対応した紙葉類投入口６１ｃを有する入口ブロック６０Ｃが用意してある。バラ硬貨投入口６１ａは、硬貨を１枚ずつ挿入することのできる寸法に形成した横長の開口であり、入口ブロック６０Ａの中央部に形成してある。変形硬貨投入口６１ｂは、バラ硬貨投入口６１ａよりも上下方向の寸法を大きく構成した横長の開口であり、入口ブロック６０Ｂの中央部に形成してある。紙葉類投入口６１ｃは、紙葉を挿入することのできる寸法に形成した横長の開口であり、入口ブロック６０Ｃの幅方向いっぱいに形成してある。残りの１つの入口ブロック６０Ｄは、前壁２２の装着孔２２ａを単に閉塞するためのものである。本実施の形態１では、紙葉類投入口６１ｃを有した入口ブロック６０Ｃを正面向かって最も右側に位置する前壁２２の装着孔２２ａに装着し、バラ硬貨投入口６１ａを有した入口ブロック６０Ａを右から２番目の装着孔２２ａに装着し、変形硬貨投入口６１ｂを有した入口ブロック６０Ｂを右から３番目の装着孔２２ａに装着し、媒体受入口６１の無い入口ブロック６０Ｄを正面向かって最も左側に位置する前壁２２の装着孔２２ａに装着してある。
【００３９】
また、収納箱２０の前壁２２において入口ブロック６０Ａ，６０Ｂ，６０Ｃ，６０Ｄよりも下方となる部位には、複数のＬＥＤ（ｌｉｇｈｔ  ｅｍｉｔｔｉｎｇ  ｄｉｏｄｅ）７０が配設してある。これらのＬＥＤ７０は、後述する硬貨収納トレイ５０の硬貨収納凹部５１に棒状硬貨ＢＣ，ＢＣ′が収納されているか否かを点灯表示するためのもので、棒状硬貨ＢＣ，ＢＣ′の種類に応じた数だけ用意してある。
【００４０】
尚、図中の符号４５は、中央に位置する２つの収納容器４０の間に配設した隙間調整用部材４５である。本実施の形態１では、この隙間調整用部材４５の上面に前後方向寸法に対して左右方向寸法の小さい収納空間４５ａが構成してある。この隙間調整用部材４５に設けた収納空間４５ａは、例えばボールペンや鉛筆等の筆記用具のように、細長い物品を収納するのに好適である。
【００４１】
硬貨収納トレイ５０は、それぞれ矩形のプレート状を成すもので、収納箱２０の内部において奥方側に位置する後半部分２０Ｒに左右に並べた状態で配置してある。本実施の形態１では、３つの硬貨収納トレイ５０が収納箱２０の内部に並設してある。これら硬貨収納トレイ５０には、個々の上面に複数の硬貨収納凹部５１が設けてある。硬貨収納凹部５１は、図７〜図１０に示すように、棒状硬貨ＢＣを横倒しの状態で収納するための半円筒状の凹所であり、軸心が収納箱２０の前後方向に沿う状態で個々の硬貨収納トレイ５０に４つずつ形成してある。
【００４２】
このうち、正面向かって左側に配置した硬貨収納トレイ５０には、最も左側に位置する硬貨収納凹部５１（以下、その他の硬貨収納凹部と区別する場合に「５００円硬貨収納凹部５１Ａ」という）の中央部にケース収納部５１ａが付設してあるとともに、このケース収納部５１ａに嵌合される硬貨収納ケース５２が用意してある。ケース収納部５１ａは、５００円硬貨収納凹部５１Ａよりも内径の大きな半円筒状の凹所であり、内底部に突起貫通孔５１ｂを有している。硬貨収納ケース５２は、５００円硬貨を２０枚包装した長さの短い棒状硬貨ＢＣ′を収納するための半円筒状に形成した容器であり、ケース収納部５１ａに嵌合する大きさに形成してある。硬貨収納ケース５２には、識別用突起５２ａが設けてある。識別用突起５２ａは、硬貨収納ケース５２の外周面から径外方向に向けて突設した舌片状部分である。この識別用突起５２ａは、硬貨収納ケース５２をケース収納部５１ａに嵌合させた場合に突起貫通孔５１ｂを介して硬貨収納トレイ５０の裏面に突出されるだけの長さを有している。
【００４３】
それぞれの硬貨収納凹部５１には、検出部５３として、磁気コイル５３ａ、一対の当接レバー５３ｂ、投光素子５３ｃ及び受光素子５３ｄが設けてある。磁気コイル５３ａは、硬貨収納凹部５１に棒状硬貨ＢＣが収納された場合に磁気インピーダンスが変化するもので、硬貨収納トレイ５０の裏面において硬貨収納凹部５１のほぼ中央となる部位に配設してある。それぞれの磁気コイル５３ａには、コイル検出回路５３ｅ（図１１参照）が付設してある。コイル検出回路５３ｅは、磁気コイル５３ａの磁気インピーダンスが変化した場合に検出信号を出力するものである。
【００４４】
一対の当接レバー５３ｂは、硬貨収納凹部５１の両端に形成した開口５１ｃから内部に出没するように揺動可能に配設したものである。個々の当接レバー５３ｂには、それぞれの先端部が開口５１ｃから内部に突出するように押圧するレバーバネ５３ｆが設けてある。これらの当接レバー５３ｂは、硬貨収納凹部５１に５０枚包装した棒状硬貨ＢＣが収納された場合にだけ両者が共に硬貨収納凹部５１から退避移動するように構成してある。それぞれの当接レバー５３ｂには、レバーセンサ５３ｇが付設してある。レバーセンサ５３ｇは、当接レバー５３ｂの先端部が硬貨収納凹部５１に突出した状態にあるか否かを個別に検出するものである。
【００４５】
投光素子５３ｃ及び受光素子５３ｄは、硬貨収納凹部５１に形成したスリット５１ｄを介して互いに対向するように配置したもので、投光素子５３ｃから照射した光が受光素子５３ｄに入射した場合に検出信号を出力する。
【００４６】
さらに、５００円硬貨収納凹部５１Ａには、突起センサ５３ｈが設けてある。突起センサ５３ｈは、突起貫通孔５１ｂを介して硬貨収納ケース５２の識別用突起５２ａが硬貨収納トレイ５０の裏面に突出された場合に検出信号を出力するものである。
【００４７】
図１１は、棒状硬貨ＢＣ，ＢＣ′の検出制御系を示すブロック図である。図１１に示す検出制御部５４は、硬貨収納トレイ５０に設けた各硬貨収納凹部５１の検出部５３から検出信号が与えられた場合に硬貨収納凹部５１に棒状硬貨ＢＣ，ＢＣ′が収納されているか否かを判断するものである。例えば、図８−１に示すように、レバーセンサ５３ｇによって当接レバー５３ｂのそれぞれの先端部が硬貨収納凹部５１に突出されていることが検出され、かつ受光素子５３ｄに対して投光素子５３ｃからの入射光があり、さらにコイル検出回路５３ｅによって検出される磁気コイル５３ａの磁気インピーダンスに変化がない場合、検出制御部５４は、硬貨収納凹部５１に棒状硬貨ＢＣ，ＢＣ′が収納されていないと判断する。硬貨収納凹部５１に棒状硬貨ＢＣ，ＢＣ′が収納されていないと判断した検出制御部５４は、該当する金種に対応したＬＥＤ７０を消灯した状態に維持する処理を行う。
【００４８】
これに対してレバーセンサ５３ｇによって当接レバー５３ｂがいずれも硬貨収納凹部５１から退避されていることが検出され、かつ受光素子５３ｄに対して投光素子５３ｃからの入射光がなく、さらにコイル検出回路５３ｅによって検出される磁気コイル５３ａの磁気インピーダンスに変化が生じた場合、検出制御部５４は、硬貨収納凹部５１に５０枚包装した正規の棒状硬貨ＢＣが収納されていると判断する。この場合、検出制御部５４は、該当する硬貨の種類に対応したＬＥＤ７０を点灯する処理を行う。従って、収納箱２０が全閉状態に維持された状態にあっても、収納箱２０の内部に棒状硬貨ＢＣが収納されているか否かを判断することが可能となる。
【００４９】
尚、レバーセンサ５３ｇによって少なくとも一方の当接レバー５３ｂが硬貨収納凹部５１から退避されていることが検出され、かつ受光素子５３ｄに対して投光素子５３ｃからの入射光がなく、コイル検出回路５３ｅによって検出される磁気コイル５３ａの磁気インピーダンスに変化が生じた場合、検出制御部５４は、硬貨収納凹部５１に異物が収納されていると判断する。例えば、５０枚に満たない棒状硬貨ＢＣが硬貨収納凹部５１に収納された場合、上述した結果となる。この場合、検出制御部５４は、例えば外部に対してエラー出力し、ＬＥＤ７０を点滅表示する等して硬貨収納凹部５１に異物が収納されていることを報知する。
【００５０】
但し、５００円硬貨収納凹部５１Ａにおいては、レバーセンサ５３ｇによって少なくとも一方の当接レバー５３ｂが退避されていることが検出され、かつ受光素子５３ｄに対して投光素子５３ｃからの入射光がなく、コイル検出回路５３ｅによって磁気コイル５３ａの磁気インピーダンス変化を検出した場合、以下の処理を実施し、５００円硬貨を２０枚包装した棒状硬貨ＢＣ′が収納されているか否かの判断を行う。すなわち、少なくとも一方の当接レバー５３ｂが退避されていることが検出された場合、検出制御部５４は、突起センサ５３ｈによって硬貨収納ケース５２の識別用突起５２ａが硬貨収納トレイ５０の裏面に突出されているか否かを判断する。突起センサ５３ｈによって識別用突起５２ａを検出した場合には、５００円硬貨収納凹部５１Ａに硬貨収納ケース５２が嵌合された状態にある。従って、検出制御部５４は、硬貨収納ケース５２に２０枚包装された５００円の棒状硬貨ＢＣ′が収納されていると判断し、該当するＬＥＤ７０を点灯する処理を行う。これにより、５００円硬貨収納凹部５１Ａにおいては、５０枚包装された棒状硬貨ＢＣが収納されているか否かに加え、２０枚包装された棒状硬貨ＢＣ′が収納されているか否かを判断することができるようになる。
【００５１】
尚、図中の符号８０は、収納箱の内部に設けられた電源である。
【００５２】
上記のように構成した硬貨収納装置１は、図には明示していないが、例えば装置本体１０の上面に釣銭機が載置され、さらにその上面にＰＯＳレジスタが載置された状態でスーパーマーケットやコンビニエンスストアに設置される。硬貨収納トレイ５０の各硬貨収納凹部５１には、準備金として所望金種の棒状硬貨ＢＣ，ＢＣ′が予め収納された状態にあり、上述した検出制御部５４の制御により、該当するＬＥＤ７０が点灯した状態にある。収納箱２０の前半部分２０Ｆに配設された収納容器４０には、バラ硬貨、筆記用具、ハサミ、ステープラ、印鑑、収入印紙等々、レジスタ作業において必要となる物品を予め収納させておく。
【００５３】
店舗が開店すると、釣銭機においては、ＰＯＳレジスタとの間において適宜情報交換を行い、買い物客からの入金額に対して商品の購入金額が小さい場合、その差額を釣銭として払い出す処理を行うことになる。硬貨収納装置１においては、電磁ソレノイド３７が消磁された状態のままであり、図１及び図４の（ａ）に示すように、押圧バネ３６の押圧力によって可動ストッパ片３１の係合部３１ａが収納箱２０の前側に設けた係止片３２と係合した状態に維持されるため、外部から収納箱２０を引き出すことが困難な状態にある。
【００５４】
ここで、買い物客から商品券が手渡された場合、レジスタ担当者は、これを紙葉類投入口６１ｃから収納箱２０の内部に投入すれば、商品券を大物収納容器４０Ｂに格納することができる。同様に、買い物客から手渡された紙幣や硬貨が破損していたり、変形していたりした場合には、該当する媒体受入口６１から内部に投入すれば、破損紙幣を大物収納容器４０Ｂに格納することができ、変形硬貨を小物収納容器４０Ｓに格納することができる。上述した収納容器４０への格納操作は、いずれも装置本体１０に対して収納箱２０を引き出す必要がない。従って、レジスタ作業の容易化を図ることができるばかりでなく、収納箱２０が全閉状態に維持される結果、棒状硬貨ＢＣ，ＢＣ′が外部に晒される事態を招来することがなく、棒状硬貨ＢＣ，ＢＣ′の管理上及びセキュリティ上、きわめて有利となる。
【００５５】
一方、領収証に対して収入印紙を貼り付け、これに印鑑を押す等の作業が必要となった場合、レジスタ担当者は、ＰＯＳレジスタを介して収納箱２０を開放する操作を一度実施すれば良い。すなわち、ＰＯＳレジスタからの制御信号によって電磁ソレノイド３７が一旦励磁されると、可動ストッパ片３１が吸着されるため、収納箱２０の前側に設けた係止片３２との係合状態が解除される。その後、可動ストッパ片３１は、再び押圧バネ３６の押圧力によって電磁ソレノイド３７から離隔し、収納箱２０の側壁外面に当接された状態となる。
【００５６】
この間、可動ストッパ片３１と係止片３２との係合状態が解除された収納箱２０は、装置本体１０との間に設けた引き出しスプリング８１の押圧力によって手前側に押し出されることになり、収納箱２０の後側に設けた係止片３３が可動ストッパ片３１の係合部３１ａに係合するまで引き出してその内部を外部に露出することが可能である。つまり、図２及び図４の（ｃ）に示すように、収納箱２０の前半部分２０Ｆが外部に露出されることになる。これにより、ＰＯＳレジスタから離れることなく収納容器４０に収納させた収入印紙や印鑑を取り出して上述のレジスタ作業を迅速に実施することができるようになり、その作業性を向上させることが可能となる。しかも、上述のレジスタ作業を実施している間においても、棒状硬貨ＢＣ，ＢＣ′を収納した硬貨収納トレイ５０が外部に露出することはなく、棒状硬貨ＢＣ，ＢＣ′の管理上及びセキュリティ上、きわめて有利となる。尚、上述の中途位置から収納箱２０を装置本体１０に対して押し込めば、係止片３２の傾斜作用によって可動ストッパ片３１が適宜移動し、係止片３２よりも前側に位置した状態で収納箱２０の側壁外面に当接された状態となる。従って、ＰＯＳレジスタへの操作を伴うことなく収納箱２０を全閉状態に復帰させることができる。
【００５７】
一方、釣銭機の釣銭が不足した場合、レジスタ担当者は、ＰＯＳレジスタを介して収納箱２０を全開する操作を実施し、硬貨収納トレイ５０に収納された棒状硬貨ＢＣ，ＢＣ′を釣銭機に補充する作業を行う。尚、レジスタ担当者が棒状硬貨ＢＣの管理権限を有していない場合には、釣銭機の釣銭が不足した時点で管理者を呼び出し、以下の作業を行うものとする。
【００５８】
まず、ＰＯＳレジスタを介して電磁ソレノイド３７を一旦励磁させ、収納箱２０の前半部分２０Ｆを外部に露出させた状態とする。この状態からさらにＰＯＳレジスタを介して電磁ソレノイド３７を励磁させると、可動ストッパ片３１の係合部３１ａと収納箱２０の後側に設けた係止片３３との係合状態が解除されることになる。この状態から収納箱２０を引き出せば、これを全開状態とすることができる。すなわち、収納箱２０の後半部分２０Ｒに配置した硬貨収納トレイ５０を装置本体１０の外部に露出させ、それぞれの硬貨収納凹部５１に収納された棒状硬貨ＢＣ，ＢＣ′から該当するものを抜き出して釣銭機に補充することができるようになる。
【００５９】
これにより、釣銭機自体の大型化を招来することなく、釣銭切れによる釣銭機の稼働時間低下、つまりはＰＯＳレジスタの稼働時間低下を防止することが可能となる。しかも、収納箱２０の前半部分２０Ｆを引き出した状態からＰＯＳレジスタに電磁ソレノイド３７を励磁させる場合には、操作者の氏名入力及び管理者のみが知り得るパスワードの入力を必須とすれば、これを記録することにより、棒状硬貨ＢＣ，ＢＣ′の管理を確実に行うことが可能となる。尚、硬貨収納装置１から棒状硬貨ＢＣ，ＢＣ′が抜き出された場合には、該当する硬貨収納凹部５１の検出部５３を通じて検出制御部５４により検出されることになり、該当するＬＥＤ７０が消灯した状態となる。さらに、検出制御部５４の検出結果は、ＰＯＳレジスタに通知され、例えば硬貨収納装置１の準備金管理に利用されることになる。
【００６０】
また、上記硬貨収納装置１では、収納箱２０に対して収納容器４０が着脱可能に配設してあるとともに、収納箱２０の前壁２２に形成した４つの装着孔２２ａに対して入口ブロック６０Ａ，６０Ｂ，６０Ｃ，６０Ｄが着脱可能に配設してある。従って、収納箱２０の内部に配置する収納容器４０の順番を変更するとともに、収納容器４０に応じて入口ブロック６０Ａ，６０Ｂ，６０Ｃ，６０Ｄの位置を変更すれば、同じ硬貨収納装置１でありながら、内部が異なるものを構成することができるようになる。さらに、小物収納容器４０Ｓにおいて、仕切板４１を着脱することにより、収納空間の大きさを変更することができるようになる。
【００６１】
尚、上述した実施の形態１では、装置本体１０に可動ストッパ片３１を設ける一方、収納箱２０に前後一対の係止片３２，３３を設けることによって停止機構３０を構成しているが、必ずしもこれに限定されない。例えば、図１２に示すように、装置本体１１０にガイド部材１１１及びローラ１１２を配設するとともに、収納箱１２０の対応する部位にガイド部材１２１及びローラ１２２を配設し、さらに双方のガイド部材１１１，１２１の適宜箇所に段部１１１ａ，１２１ａを形成するようにしても同様の作用効果を期待することができる。
【００６２】
すなわち、図１２の（ａ）に示す全閉状態から装置本体１１０に対して収納箱１２０を引き出し、図１２の（ｂ）に示す中途位置においてローラ１１２，１２２がガイド部材１１１，１２１の段部１１１ａ，１２１ａに達するように構成すれば、これらローラ１１２，１２２及び段部１１１ａ，１２１ａの作用により、収納箱１２０を引き出す際の移動が一旦停止することになる。つまり、中途位置から収納箱１２０を図１２の（ｃ）に示す全開状態とするには、ローラ１１２，１２２がガイド部材１１１，１２１の段部１１１ａ，１２１ａから逸脱する必要があり、単に収納箱１２０を引き出す場合に比べて大きな操作力が必要となる。従って、実施の形態１と同様に、収納箱１２０の後半部分に硬貨収納トレイを配置すれば、単に収納箱１２０を引き出した際には、収納箱１２０の後半部分が装置本体１１０によって覆われた状態となり、棒状硬貨ＢＣ，ＢＣ′が外部に露出することはなく、棒状硬貨ＢＣ，ＢＣ′の管理上及びセキュリティ上有利となる。
【００６３】
（実施の形態２）
図１３〜図１５は、本発明の実施の形態２である硬貨収納装置を示したものである。ここで例示する硬貨収納装置２０１は、実施の形態１と同様に、ＰＯＳレジスタに接続された釣銭機に補充する棒状硬貨ＢＣ，ＢＣ′を準備金として収納するもので、実施の形態１とは、収納箱の構成のみが異なっている。すなわち、実施の形態２の硬貨収納装置２０１では、独立した上下２つの収納体２２０Ａ，２２０Ｂを備えて収納箱２２０を構成している。
【００６４】
上方に配設した収納体（以下、区別する場合に「上方収納体２２０Ａ」という）と下方に配設した収納体（以下、区別する場合に「下方収納体２２０Ｂ」という）は、上面全面が開口した直方体状を成す箱体である。これらの収納体２２０Ａ，２２０Ｂは、それぞれの両側側面に設けた箱側ガイド部材２２１を装置本体２１０に設けた本体側ガイド部材２１１に摺動自在に当接させることにより、装置本体２１０の前面に設けた開口から個別に引き出し可能に配設してある。上方収納体２２０Ａの奥行寸法及び下方収納体２２０Ｂの奥行寸法は、いずれも実施の形態１の収納箱２０よりも十分に短く構成してある。
【００６５】
図には明示していないが、装置本体２１０とそれぞれの収納体２２０Ａ，２２０Ｂとの間には、それぞれ個別の停止機構２３０が設けてある。停止機構２３０は、装置本体２１０に対する収納体２２０Ａ，２２０Ｂの移動を個別に制限するものである。本実施の形態２では、装置本体２１０に上下２つの可動ストッパ片（図示せず）を設ける一方、各収納体２２０Ａ，２２０Ｂの前側となる部位にそれぞれ係止片２３２を設けることによって停止機構２３０を構成している。
【００６６】
実施の形態１と同様に、停止機構２３０の可動ストッパ片（図示せず）は、装置本体２１０に設けたストッパ本体２３４に揺動可能に支持させてあり、対応する収納体２２０Ａ，２２０Ｂの側壁外面に対して近接離反移動することが可能である。図には明示していないが、可動ストッパ片の先端部に屈曲した係合部が設けてある点、ストッパ本体２３４に押圧バネ（図示せず）及び電磁ソレノイド２３７が設けてある点も実施の形態１と同様である。
【００６７】
収納体２２０Ａ，２２０Ｂに設けた係止片２３２は、それぞれ側壁外面から外方に向けて突設したもので、前方に向けて漸次突出量が多くなるように傾斜し、かつ最も前方となる部位に係止面２３２ａを構成している。それぞれ係止片２３２は、装置本体２１０に対して収納体２２０Ａ，２２０Ｂを全閉状態に配置した場合、先端の係止面２３２ａが可動ストッパ片（図示せず）の係合部に係合することにより、収納体２２０Ａ，２２０Ｂの前方への移動を阻止するように機能する。本実施の形態２で示す停止機構２３０は、収納体２２０Ａ，２２０Ｂを中途位置で停止させるための機能を有しておらず、可動ストッパ片（図示せず）の係合部と係止片２３２との係合状態が解除された場合、それぞれの収納体２２０Ａ，２２０Ｂを全閉状態から同じ操作力でそのまま全開位置まで引き出すことが可能である。
【００６８】
２つの収納体２２０Ａ，２２０Ｂには、４つの収納容器４０及び２つの硬貨収納トレイ２５０が個別に配設してある。本実施の形態２では、上方収納体２２０Ａに４つの収納容器４０が配設してある一方、下方収納体２２０Ｂに２つの硬貨収納トレイ２５０が配設してある。収納容器４０は、実施の形態１と同様の構成を有したものであり、上方収納体２２０Ａを全開状態に配置した場合に全てが外部に露出されることになる。硬貨収納トレイ２５０は、下方収納体２２０Ｂの奥行寸法に合致した長さを有する矩形のプレート状を成すもので、左右に並べた状態で配置してある。硬貨収納凹部２５１は、軸心が下方収納体２２０Ｂの左右方向に沿う状態で個々の硬貨収納トレイ２５０に複数ずつ形成してある。図からも明らかなように、正面向かって左側に配置した硬貨収納トレイ２５０には、最も奥方に位置する部位に実施の形態１と同様の５００円硬貨収納凹部２５１Ａが設けてあるとともに、最も手前側に位置する部位に縦横寸法が比較的小さい物品を収納するための収納空間２５５が構成してある。また、下方収納体２２０Ｂの正面向かって右側には、縦横寸法が比較的大きい物品を収納することのできる蓋体２５７付きの収納空間２５６が構成してある。尚、収納容器４０の詳細構成並びに硬貨収納トレイ２５０の詳細構成及び検出制御系の構成に関しては、いずれも実施の形態１と同様であるため、同一の符号を付してそれぞれの詳細説明を省略する。
【００６９】
また、収納容器４０を配設した上方収納体２２０Ａには、その前壁２２２Ａにおいて収納容器４０に対応する部位にそれぞれ入口ブロック６０Ａ，６０Ｂ，６０Ｃ，６０Ｄが配設してあり、硬貨収納トレイ２５０を配設した下方収納体２２０Ｂには、その前壁２２２Ｂに複数のＬＥＤ７０が配設してある。これら入口ブロック６０Ａ，６０Ｂ，６０Ｃ，６０Ｄの構成及びＬＥＤ７０の構成に関しても、実施の形態１と同様であるため、同一の符号を付してそれぞれの詳細説明は省略する。
【００７０】
上記のように構成した硬貨収納装置２０１は、図には明示していないが、例えば装置本体２１０の上面に釣銭機が載置され、さらにその上面にＰＯＳレジスタが載置された状態でスーパーマーケットやコンビニエンスストアに設置される。硬貨収納トレイ２５０の各硬貨収納凹部２５１には、準備金として所望金種の棒状硬貨ＢＣ，ＢＣ′が予め収納された状態にあり、上述した検出制御部５４の制御により、該当するＬＥＤ７０が点灯した状態にある。上方収納体２２０Ａに配設された収納容器４０には、バラ硬貨、筆記用具、ハサミ、ステープラ、印鑑、収入印紙等々、レジスタ作業において必要となる物品を予め収納させておく。
【００７１】
店舗が開店すると、釣銭機においては、ＰＯＳレジスタとの間において適宜情報交換を行い、買い物客からの入金額に対して商品の購入金額が小さい場合、その差額を釣銭として払い出す処理を行うことになる。硬貨収納装置２０１においては、２つの電磁ソレノイド２３７がいずれも消磁された状態のままであり、それぞれの収納体２２０Ａ，２２０Ｂに設けた係止片２３２と可動ストッパ片（図示せず）とが係合した状態に維持されるため、外部から収納体２２０Ａ，２２０Ｂを引き出すことが困難な状態にある。
【００７２】
ここで、買い物客から商品券が手渡された場合、レジスタ担当者は、これを紙葉類投入口６１ｃから上方収納体２２０Ａの内部に投入すれば、商品券を大物収納容器４０Ｂに格納することができる。同様に、買い物客から手渡された紙幣や硬貨が破損していたり、変形していたりした場合には、該当する媒体受入口６１から内部に投入すれば、破損紙幣を大物収納容器４０Ｂに格納することができ、変形硬貨を小物収納容器４０Ｓに格納することができる。上述した収納容器４０への格納操作は、いずれも装置本体２１０に対して上方収納体２２０Ａ及び下方収納体２２０Ｂを引き出す必要がない。従って、レジスタ作業の容易化を図ることができるばかりでなく、収納体２２０Ａ，２２０Ｂが全閉状態に維持される結果、棒状硬貨ＢＣ，ＢＣ′並びにバラ硬貨が外部に晒される事態を招来することがなく、これらの管理上及びセキュリティ上、きわめて有利となる。
【００７３】
一方、領収証に対して収入印紙を貼り付け、これに印鑑を押す等の作業が必要となった場合、レジスタ担当者は、ＰＯＳレジスタを介して上方収納体２２０Ａを開放する操作を実施すれば良い。すなわち、ＰＯＳレジスタからの制御信号によって上方収納体２２０Ａに対応した電磁ソレノイド２３７が励磁されると、可動ストッパ片（図示せず）が吸着されるため、上方収納体２２０Ａに設けた係止片２３２との係合状態が解除される。この結果、装置本体２１０との間に設けた引き出しスプリング８１の押圧力によって上方収納体２２０Ａが手前側に押し出されることになり、これを全開状態まで引き出してその内部を外部に露出することが可能である。これにより、ＰＯＳレジスタから離れることなく収納容器４０に収納させた収入印紙や印鑑を取り出して上述のレジスタ作業を迅速に実施することができるようになり、その作業性を向上させることが可能となる。しかも、上述のレジスタ作業を実施している間においても、下方収納体２２０Ｂは全閉状態に維持されているため、棒状硬貨ＢＣ，ＢＣ′を収納した硬貨収納トレイ２５０が外部に露出することはなく、棒状硬貨ＢＣ，ＢＣ′の管理上及びセキュリティ上、きわめて有利となる。尚、上方収納体２２０Ａを装置本体２１０に対して押し込めば、係止片２３２の傾斜作用によって可動ストッパ片（図示せず）が適宜移動し、係止片２３２よりも前側に位置した状態で上方収納体２２０Ａの側壁外面に当接された状態となる。従って、ＰＯＳレジスタへの操作を伴うことなく上方収納体２２０Ａを全閉状態に復帰させることができる。
【００７４】
一方、釣銭機の釣銭が不足した場合、レジスタ担当者は、ＰＯＳレジスタを介して下方収納体２２０Ｂを開放する操作を実施し、硬貨収納トレイ２５０に収納された棒状硬貨ＢＣ，ＢＣ′を釣銭機に補充する作業を行う。すなわち、ＰＯＳレジスタからの制御信号によって下方収納体２２０Ｂに対応した電磁ソレノイド２３７が励磁されると、可動ストッパ片（図示せず）が吸着されるため、下方収納体２２０Ｂに設けた係止片２３２との係合状態が解除される。この結果、装置本体２１０との間に設けた引き出しスプリング８１の押圧力によって下方収納体２２０Ｂが手前側に押し出されることになり、これを全開状態まで引き出してその内部を外部に露出することが可能である。これにより、下方収納体２２０Ｂに配置した硬貨収納トレイ２５０を装置本体２１０の外部に露出させ、それぞれの硬貨収納凹部２５１に収納された棒状硬貨ＢＣ，ＢＣ′から該当するものを抜き出して釣銭機に補充することができるようになる。尚、実施の形態１と同様、レジスタ担当者が棒状硬貨ＢＣ，ＢＣ′の管理権限を有していない場合には、釣銭機の釣銭が不足した時点で管理者を呼び出し、上述の作業を行うものとする。
【００７５】
これにより、釣銭機自体の大型化を招来することなく、釣銭切れによる釣銭機の稼働時間低下、つまりはＰＯＳレジスタの稼働時間低下を防止することが可能となる。しかも、下方収納体２２０Ｂに対応した電磁ソレノイド２３７を励磁させる場合には、操作者の氏名入力及び管理者のみが知り得るパスワードの入力を必須とすれば、これを記録することにより、棒状硬貨ＢＣ，ＢＣ′の管理を確実に行うことが可能となる。尚、硬貨収納装置２０１から棒状硬貨ＢＣ，ＢＣ′が抜き出された場合には、該当する硬貨収納凹部２５１の検出部５３を通じて検出制御部５４により検出されることになり、該当するＬＥＤ７０が消灯した状態となる。さらに、検出制御部５４の検出結果は、ＰＯＳレジスタに通知され、例えば硬貨収納装置２０１の準備金管理に利用されることになる。
【００７６】
また、上記硬貨収納装置２０１では、上方収納体２２０Ａに対して収納容器４０が着脱可能に配設してあるとともに、上方収納体２２０Ａの前壁２２２Ａに形成した４つの装着孔２２ａに対して入口ブロック６０Ａ，６０Ｂ，６０Ｃ，６０Ｄが着脱可能に配設してある。従って、上方収納体２２０Ａの内部に配置する収納容器４０の順番を変更するとともに、収納容器４０に応じて入口ブロック６０Ａ，６０Ｂ，６０Ｃ，６０Ｄの位置を変更すれば、同じ硬貨収納装置２０１でありながら、内部が異なるものを構成することができるようになる。さらに、小物収納容器４０Ｓにおいて、仕切板４１を着脱することにより、収納空間の大きさを変更することができるようになる。
【００７７】
尚、上述した実施の形態２では、装置本体に対して収納体を上下に配設することにより，収納箱を構成するようにしているが、装置本体に対して収納体を左右に並設することによって収納箱を構成することも可能である。また、収納体を上下に配設する場合に上述した実施の形態２では、上方収納体に収納容器を配設し、かつ下方収納体に硬貨収納トレイを配設するようにしているが、逆の態様であっても構わない。
【００７８】
さらに、上述した実施の形態１及び２では、いずれも前壁に形成した装着孔に入口ブロックを着脱可能に配設しているが、例えば前壁に一条の溝を形成し、この溝に対して複数の入口ブロックをスライド可能に配設するように構成しても良い。このように溝に対して入口ブロックをスライド可能に配設した場合には、複数の入口ブロックの幅を同一とする必要がなく、互いに異なる幅の入口ブロックを適用することが可能である。この場合、入口ブロックに対応する収納容器の幅に関しても互いに異なる幅のものを適用することが可能になる。
【００７９】
（実施の形態３）
図１６及び図１７は、本発明の実施の形態３である硬貨収納装置を示したものである。ここで例示する硬貨収納装置３０１は、実施の形態１と同様に、ＰＯＳレジスタに接続された釣銭機に補充する棒状硬貨ＢＣ，ＢＣ′を準備金として収納するもので、実施の形態１の硬貨収納装置に対して磁気吸引領域３４０を追加したものである。
【００８０】
すなわち、実施の形態３の硬貨収納装置３０１では、収納箱３２０において正面向かって最も左側に位置する部位の前側に磁気吸引領域３４０を設けている。磁気吸引領域３４０は、収納容器３４１の底壁外面に永久磁石３４２を配設することによって構成したものである。一方、収納箱３２０の前壁３２２において磁気吸引領域３４０に対応する部位には、磁気吸引領域３４０を外部に連通させるための開口３４５が設けてある。尚、実施の形態３において実施の形態１と同様の構成に関しては、同一の符号を付してそれぞれの詳細説明を省略する。
【００８１】
上記のように構成した硬貨収納装置３０１によれば、実施の形態１のものに加え、収納箱３２０を全閉状態に維持した状態で前壁３２２の開口３４５を介してクリップやステープラの針を収納箱３２０の内部に構成した磁気吸引領域３４０に収納させることが可能である。しかも、磁気吸引領域３４０には、その底部に永久磁石３４２が配設してあるため、その磁気吸引力によってこれらクリップやステープラの針を確実に収納することができる。従って、これらクリップやステープラの針が釣銭機の硬貨投入口や紙幣投入口から誤って内部に侵入する虞れがなくなる。
【００８２】
尚、磁気吸引領域３４０を外部に連通させる開口は、必ずしも収納箱３２０の前面である必要はなく、装置本体１０の上面に形成しても良い。
【００８３】
また、磁気吸引領域３４０を外部に連通させる開口は、実施の形態２で示した硬貨収納装置２０１において収納容器４０を配置した収納体に設けるようにしても構わない。
【符号の説明】
【００８４】
１      硬貨収納装置
１０      装置本体
２０      収納箱
２２      前壁
２２ａ      装着孔
３０      停止機構
３１      可動ストッパ片
３１ａ      係合部
３２，３３      係止片
３２ａ，３３ａ      係止面
４０      収納容器
５０      硬貨収納トレイ
５１      硬貨収納凹部
５１ａ      ケース収納部
５１ｂ      突起貫通孔
５２      硬貨収納ケース
５２ａ      識別用突起
５３      検出部
５３ａ      磁気コイル
５３ｂ      当接レバー
５３ｃ      投光素子
５３ｄ      受光素子
５３ｅ      コイル検出回路
５３ｆ      レバーバネ
５３ｇ      レバーセンサ
５３ｈ      突起センサ
５４      検出制御部
６０Ａ，６０Ｂ，６０Ｃ，６０Ｄ      入口ブロック
６１      媒体受入口
１１０      装置本体
１１１，１２１      ガイド部材
１１１ａ，１２１ａ      段部
１１２，１２２      ローラ
１２０      収納箱
２０１      硬貨収納装置
２１０      装置本体
２２０      収納箱
２２０Ａ，２２０Ｂ      収納体
２２２Ａ      前壁
２２２Ｂ      前壁
２３０      停止機構
２３２      係止片
２３２ａ      係止面
２３４      ストッパ本体
２３７      電磁ソレノイド
２５０      硬貨収納トレイ
２５１      硬貨収納凹部
３０１      硬貨収納装置
３２０      収納箱
３２２      前壁
３４０      磁気吸引領域
３４１      収納容器
３４２      永久磁石
３４５      開口
ＢＣ，ＢＣ′      棒状硬貨
【図１】
2010204757.tif 000003
【図２】
2010204757.tif 000004
【図３】
2010204757.tif 000005
【図４】
2010204757.tif 000006
【図５】
2010204757.tif 000007
【図６】
2010204757.tif 000008
【図７】
2010204757.tif 000009
【図８−１】
2010204757.tif 000010
【図８−２】
2010204757.tif 000011
【図９−１】
2010204757.tif 000012
【図９−２】
2010204757.tif 000013
【図１０】
2010204757.tif 000014
【図１１】
2010204757.tif 000015
【図１２】
2010204757.tif 000016
【図１３】
2010204757.tif 000017
【図１４】
2010204757.tif 000018
【図１５】
2010204757.tif 000019
【図１６】
2010204757.tif 000020
【図１７】
2010204757.tif 000021